(57)【要約】【課題】      基板収容部材に収容されている基板に配設されている電気部品に対するノイズの影響を、容易且つ安価に防止することができる遊技機を提供する。【解決手段】  複数の電気部品及び電気部品の接地回路が配設されている基板１１０が収容された基板ボックス１００と、基板ボックス１００が取り付けられる基板ボックス取付部３００によって、シールド板２００が挟持されている。【選択図】    図２
2005312916.tif 000002
【特許請求の範囲】
【請求項１】
複数の電気部品及び電気部品の接地回路が配設されている基板と、前記基板を収容する基板収容部材と、シールド部材と、前記基板収容部材が取り付けられる基板収容部材取付部を備える遊技機であって、  前記シールド部材は、前記基板収容部材と前記基板収容部材取付部によって挟持されている、遊技機。
【発明の詳細な説明】
【技術分野】
【０００１】
本発明は、遊技機、特に、基板に配設されている電気部品に対するノイズの影響を防止することができる遊技機に関する。
【背景技術】
【０００２】
パチンコ機やスロットマシン等の遊技機には、基板に複数の電気部品が配設されている回路基板が、遊技機の裏側（遊技者側を表側とする。）に設けられている。例えば、ＣＰＵ（制御回路）とＲＯＭ（記憶回路）が内蔵されているワンチップマイクロコンピュータ（制御用ＩＣ）が配設されている制御基板（全体の遊技動作を制御する主制御回路が配設されている主制御基板、遊技球の払い出しを制御する払出制御回路が配設されている払出制御基板、表示動作を制御する表示制御回路が配設されている表示制御基板等）等が設けられている。  このような遊技機では、電気部品に対する不正（例えば、ワンチップマイクロコンピュータを、不正な情報が記憶されている不正なワンチップマイクロコンピュータと交換する不正）を防止するために、基板ボックスの内部に回路基板が収容されている。一般的に、基板ボックスは、開封すれば開封跡が生じるように構成されており、これによって、基板ボックスが不正に開封されたことを検出することができる。  
【０００３】
また、遊技機の裏側には、遊技球を貯留する球貯留タンクや、遊技球が流下する球通路等が随所に配設されている。この貯留タンクや球通路等を形成している部材と遊技球との接触や遊技球同士の接触等により、静電気が発生する場合がある。そして、上記した回路基板に配設されている電気部品がこの静電気の影響を受ける虞れがある。例えば、ワンチップマイクロコンピュータが静電気に起因するノイズにより誤動作する虞れがある。  そこで、特開２００３−１２６４９２号公報では、基板ボックスにシールド板を取り付けることで回路基板に配設されている電気部品が静電気によるノイズの影響を受けるのを防止する技術が提案されている（特許文献１参照）。    
【特許文献１】特開２００３−１２６４９２号公報
【発明の開示】
【発明が解決しようとする課題】
【０００４】
しかしながら、このシールド板は、回路基板を基板ボックスに収容した後に基板ボックスの外側からネジで取り付けられている。したがって、シールド板を基板ボックスにネジ止めする際には、ドライバー等の工具を必要とし、回路基板の検査や遊技機の組立に時間がかかる。  そこで、本発明が解決しようとする課題は、基板収容部材に収容されている基板に配設されている電気部品に対するノイズの影響を、容易に防止することができる遊技機を提供することである。
【課題を解決するための手段】
【０００５】
前記課題を解決するための本発明の第１発明は、請求項１に記載されたとおりの遊技機である。  請求項１に記載の遊技機は、基板と、基板を収容する基板収容部材と、シールド部材と、基板収容部材が取り付けられる基板収容部材取付部とを備えている。  基板には、複数の電気部品及び電気部品の接地回路が配設されている。  ここで、本明細書では、「電気部品」は、ＣＰＵ、メモリ、抵抗、スイッチング素子等の単体部品や、ＣＰＵやメモリが内蔵されているＩＣや、ＭＣＭ（マルチチップモジュール）等の複合部品を含む。  また、「電気部品の接地回路」としては、基板にプリントされた接地パターン、遊技機のアースと基板の接地パターンを接続する接地端子等が含まれる。  また、「基板収容部材」としては、基板の少なくとも一部を覆うものを広く包含するが、外部回路との接続端子部分を除く基板全体を覆うもの（例えば、基板ボックス）が好ましい。  「シールド部材」は、遊技機内外で発生する静電気等に起因するノイズから基板をシールド（遮蔽）する効果を有する部材を広く包含する。典型的には、シールド部材は、導電性部材（例えば、アルミ、鉄等）のシールド板として構成される。  「基板収容部材取付部」は、上記した基板収容部材が取り付けられる遊技機の裏側（遊技者側を表側とする。）の所定の場所にあって、基板収容部材が当該取付部に取り付けられる構成は種々の態様を有する。例えば、ネジ止めにより取り付けられる態様、取付部もしくは基板収容部材の一方に嵌合部材が、他方に嵌合片が設けられていて嵌合片が嵌合部材に嵌合することで取り付けられる態様等を有する。  
【０００６】
このような遊技機では、上記従来の技術で説明したように、シールド部材（従来の技術ではシールド板）をネジ等で基板収容部材（従来の技術では基板ボックス）の外部から配設すると、遊技機の組立や回路基板の検査に時間がかかる。  そこで、本発明では、シールド部材は、基板収容部材と基板収容部材取付部によって挟持されている。  シールド部材が挟持される方法としては、基板収容部材側にシールド部材が仮止めされた後、シールド部材が仮止めされた基板収容部材が基板収容部材取付部に取り付けられる態様、基板収容部材取付部側にシールド部材が仮止めされた後、シールド部材が仮止めされた基板収容部材取付部に基板収容部材が取り付けられる態様、基板収容部材と基板収容部材取付部とでシールド部材が挟まれつつ、基板収容部材が基板収容部材取付部に取り付けられる態様等種々の方法が採用され得る。したがって、基板収容部材取付部の構成は、上記した種々の挟持方法に基づいて適宜設定される。このように、シールド部材は、基板収容部材と基板収容部材取付部が配設された状態において、基板収容部材と基板収容部材取付部とで挟持されていればよい。  
【０００７】
本発明の遊技機によれば、シールド部材を容易に配設することができ、遊技機の組立作業が容易になった。また、部品の数を減らし、コストを低減することができる。これによって、基板収容部材に収容されている基板に配設されている電気部品に対するノイズの影響を、基板収容部材と基板収容部材取付部によって挟持されるシールド部材で、容易且つ安価に防止することができる。  また、基板収容部材を基板収容部材取付部から取り外すことで、シールド部材と基板収容部材を容易に分離することができる。これにより、基板収容部材が内部を視認可能な部材で構成されていれば、基板収容部材の外部から内部に収容されている基板の裏側を容易に視認することができる。したがって、遊技場の営業時等において基板を検査する際の時間を短縮することができ、利便性が向上する。
【発明の効果】
【０００８】
請求項１に記載の遊技機を用いれば、基板収容部材に収容されている基板に配設されている電気部品に対するノイズの影響を、容易且つ安価に防止することができる。
【発明を実施するための最良の形態】
【０００９】
本発明の遊技機の一実施の形態を、図１〜図５を参照して説明する。  本実施の形態は、本発明をパチンコ機として構成したものである。  本実施の形態では、基板ボックスのケースに基板を配設してカバーを取り付けることで基板を収容した基板ボックスを、シールド板を位置決めして仮止めした基板ボックス取付部に取り付けることにより、基板ボックスと基板ボックス取付部によってシールド板が挟持されるとともに、基板の接地パターン（接地回路）とシールド板が接続されるように構成されている。  なお、図１には、パチンコ機の裏側(遊技者側を表側とする。)の全体構成を示す斜視図を示す。図２には、パチンコ機の裏側の基板ボックス取付部にシールド板、基板ボックスを取り付ける方法を説明する図を示す。また、図３には、基板ボックスのケースに基板を配設して（未だ、カバーが配設されていない状態にて）、基板表面側（シールド板が配設される側と対向する側）から見た図を示す。また、図４には、基板ボックス取付部に取り付けられた後の基板ボックスのケースとシールド板の配設位置関係を示す断面図（図３のＩＶ−ＩＶ線断面図）を示す。また、図５には、図３に示した基板ボックスのケースを裏側(シールド板が配設される側)から見た図を示す。  
【００１０】
まず、図１を用いて、パチンコ機１の裏側の状態を説明する。パチンコ機１の裏側には、本体枠１０に遊技動作を実行させるための各種装置が取り付けられている。例えば、遊技球を貯留する球貯留タンク１１、球貯留タンク１１に貯留されている遊技球を球払い出し装置に誘導するタンクレール１２等が設けられ、遊技球がパチンコ機１の裏側や表側を流下する構成となっている。  また、パチンコ機１の裏側には、複数の回路基板が設けられている。図１に示すパチンコ機１では、パチンコ機１の球払い出しに関する制御を行う払出制御回路が配設されている払出制御基板１１０（併せて、図３、図４参照。また、以降、払出制御基板１１０を基板１１０と称呼する。）が内部に収容されている基板ボックス１００が、パチンコ機１の裏側の鉛直方向下部に配設されている。基板ボックス１００は、基板１１０が視認可能な透明性を有する樹脂等で形成されている。基板１１０の払出制御回路には、球払出制御プログラムが記憶されているＲＯＭとＣＰＵ（制御回路）が内蔵されているワンチップマイクロコンピュータ（制御用ＩＣ）が配設されている。基板１１０の電気的構成は、一般的に用いられているものであるので、詳細な説明は省略する。  本実施の形態の基板ボックス１００は本発明の「基板収容部材」に対応する。  
【００１１】
次に、図２〜図５を用いて、基板ボックス１００の詳細な構成と、基板ボックス１００に基板１１０を収容する手順を説明する。  図２に示すように、基板ボックス１００は、基板１１０が配設されるケース１２０と、基板１１０を覆いケース１２０に取り付けられるカバー１３０とからなる。また、図３〜図５に示すように、ケース１２０には、カバー１３０を取り付けるための取付部（本実施の形態では、ヒンジ部１２６、溝１２７、封印部１２３）と、基板ボックス取付部３００に取り付けるための取付部（本実施の形態では、フランジ１２４、Ｖ字係合部１２５）が設けられている。  なお、ケース１２０には、底部１２８と基板１１０の裏面が当接する基板支持部１２１が設けられている。基板支持部１２１は、ケース１２０の任意の位置（本実施の形態では、コーナー（隅）の位置）に、ケース１２０の底部１２８から所定の高さ（基板１１０が基板支持部１２１に載置された時に、基板１１０の裏面から突出している部材（例えば、後述するネジ１６０）が底部１２８に当接しない高さ）で形
成されている。  そして、ケース１２０は、基板支持部１２１が設けられている箇所の外周部が切り欠かれている。すなわち、図４、図５に示すように、基板支持部１２１の外周部（本実施の形態では、略四角形の各コーナー部（四隅））に凹部１２２が設けられている。  基板支持部１２１には、基板１１０をケース１２０に固定するネジ穴１２１ａが貫通している。  また、基板１１０には、ネジ穴１２１ａと対応する位置にネジ取り付け穴１１１が設けられている。各ネジ取り付け穴１１１の周囲には接地パターンが設けられている。そして、各ネジ取り付け穴１１１を中心に、レジストが設けられておらず接地パターンが露出している部分が形成されている。接地パターンが露出している部分の径は、後述する、ネジ１６０がネジ取り付け穴１１１に設けられた際に、ネジの頭が接地パターンに当接可能な程度の径であればよい。  
【００１２】
したがって、基板１１０を基板支持部１２１に載置すると、基板１１０の各ネジ取り付け穴１１１と、ケース１２０の各ネジ穴１２１ａが対向し、ネジ１６０を用いて基板１１０を基板支持部１２１（すなわち、ケース１２０）に固定することができる。さらに、ネジ１６０は、基板１１０の接地パターンにも接続される。なお、ネジ１６０は、基板１１０をケース１２０に固定した際に、ネジ１６０の先端が基板支持部１２１の裏側から突出する長さのものを選択する。  このように、基板１１０をケース１２０に取り付けたら、ケース１２０とカバー１３０とを、ケース１２０のヒンジ部１２６とカバー１３０のヒンジ部（特に図示していない。）を用いてヒンジ結合させる。そして、ケース１２０の溝１２７にカバー１３０の側面を挿入することによって、ケース１２０にカバー１３０が取り付けられる構成となっている。また、同時に、カバー１３０側の封印部とケース１２０側の封印部１２３が対向する構成となっている。そして、封印部１２３にネジを挿入して締めることでケース１２０にカバー１３０が固定封印される。  これにより、基板ボックス１００内に基板１１０が収容されるとともに、基板１１０の接地パターンに接続されているネジ１６０が基板ボックス１１０の基板支持部１２１よりパチンコ機側（シールド板２００側）に突出している状態で配設される。  本実施の形態のネジ１６０は、本発明の「接続部材」に対応する。  
【００１３】
次に、図２、図４を用いてシールド板２００の構成を説明する。  シールド板２００は、基板１１０の面積と略等しいか大きい面積を有し、導電性金属（例えば、アルミ、鉄等）をプレス成形により板状に形成されている。本実施の形態では、シールド板２００は、略四角形に形成されている。  シールド板２００には、後述する基板ボックス取付部３００のシールド板係合部３２０に係合可能なフランジ２２０、基板ボックス取付部３００のフランジ挿入口３３０に挿入可能なフランジ２３０、基板ボックス取付部３００に設けられた位置決め用ボス３１０と対応する位置に設けられ、位置決め用ボス３１０が嵌合可能な位置決め孔２１０を備えている。これにより、シールド板２００は基板ボックス取付部３００に仮止め可能な構成となっている。本実施の形態では、基板ボックス取付部３００に４つの位置決め用ボス３１０が、シールド板２００に４つの位置決め孔２１０が設けられている。  また、シールド板２００には、シールド板２００が位置決めされた状態で基板ボックス１００が基板ボックス取付部３００に取り付けられた時にネジ１６０と対応する位置に、凸状部２０１が形成されている。本実施の形態では、シールド板２００のコーナー部（四隅）の端部側に凸状部２０１が形成されている。凸状部２０１は、ネジ１６０の先端部と弾性力によって当接するように、可撓性を有する材料や形状に形成する。  凸状部２０１は、プレス加工により形成することもできるし、シールド板から切り起こして形成することもできる。本実施の形態では、プレス加工により形成する方法を用いている。  本実施の形態のシールド板２００は本発明の「シールド部材」に対応する。  
【００１４】
引き続き、図２を用いて、パチンコ機１の裏側に設けられた基板ボックス取付部３００の構成について説明する。  基板ボックス取付部３００は、パチンコ機１の裏側の、基板ボックス１００が取り付けられる位置に設けられるが、本実施の形態では、装置２０（図２では、一例として、電源ユニットを示している。）と装置３０（図２では、一例として、球の通路を覆うカバーを示している。）に設けられている。  装置２０には、シールド板２００を位置決めする２つの位置決め用ボス３１０、シールド板係合部３２０が設けられている。また、基板ボックス１００を取り付ける基板ボックスフランジ挿入口３４０が設けられている。  装置３０には、シールド板２００を位置決めする２つの位置決め用ボス３１０、Ｖ字係合部係合部材３５０に設けられたシールド板フランジ挿入口３３０が設けられている。また、基板ボックス１００を取り付けるＶ字係合部係合部材３５０が設けられている。  基板ボックス取付部３００が、本発明の「基板収容部材取付部」に対応する。  また、位置決め用ボス３１０、シールド板係合部３２０、シールド板フランジ挿入口３３０が本発明の「位置決め部材」に対応する。  
【００１５】
このように準備された基板１１０が収容された基板ボックス１００、シールド板２００、基板ボックス取付部３００、ネジ１６０を用い、基板ボックス取付部３００にシールド板２００を仮止めした後、基板１１０を収容した基板ボックス１００を基板ボックス取付部３００に取り付ける手順を説明する。  先ず、基板ボックス取付部３００に、シールド板２００を位置決めする。  図２に示す、基板ボックス取付部３００のシールド板挿入口３３０にシールド板２００のフランジ２３０を挿入しつつ、位置決め孔２１０に位置決め用ボス３１０を挿入する。これにより、フランジ２１０もフランジ係合口３２０に係止され、シールド板２００が位置決めされるとともに基板ボックス取付部３００に係止される（仮止めされる）。  
【００１６】
次に、前述した基板１１０を収容した基板ボックス１００を、基板ボックス取付部３００に、シールド板２００を挟持するように配設する。  図２に示す、基板ボックス取付部３００のフランジ挿入口３４０に基板ボックス１００（ケース１２０）のフランジ１２４を挿入しつつ、Ｖ字係合部１２５を基板ボックス取付部３００のＶ字係合部係合部材３５０に挿入し押圧する。これによりＶ字係合部係合部材３５０にＶ字係合部１５０が係合され、基板ボックス１００が基板ボックス取付部３００に取り付けられる。この状態で、シールド板２００は、基板ボックス１００と基板ボックス取付部３００に挟持されている。  
【００１７】
このように組み立てることにより、図４に示すように、シールド板２００の凸状部２０１が基板ボックス１００から突出しているネジ１６０に当接し、図４に示す下方向に撓んだ状態で基板ボックス１００がシールド板２００を挟持しつつ基板ボックス取付部３００に取り付けられる。  これにより、シールド板２００が確実にネジ１６０と当接（接触）し、シールド板２００が基板１１０の接地回路と接続される。また、凸状部２０１やネジ１６０の突出部は、基板ボックス１００のケース１２０に形成された凹部１２２に設けられており、凹部１２２は、ネジ１６０が凸状部２０１と当接している（接触している）状態で、凸状部２０１が撓む範囲よりも大きく形成されている。したがって、基板ボックス１００、シールド板２００の基板ボックス取り付け部３００への取り付けに支障をきたすことなく、容易に取り付けることができる。  
【００１８】
本実施の形態では、シールド部材２００を容易に配設することができ、パチンコ機１の組立作業が容易になった。また、部品の数を減らし、コストを低減することができる。これによって、基板ボックス１００に収容されている基板１１０に配設されている電気部品に対するノイズの影響を、シールド部材２００で容易且つ安価に防止することができる。  また、基板ボックス１００を基板ボックス取付部３００から取り外すことで、シールド部材２００基板ボックス１００を容易に分離することができる。これにより、基板ボックスが内部を視認可能な部材で構成されていれば、基板ボックス１００の外部から内部に収容されている基板の裏側を容易に視認することができる。したがって、遊技場の営業時等において基板を検査する際の時間を短縮することができ、利便性が向上する。  
【００１９】
本発明は、実施の形態で説明した構成に限定されず、種々の変更、追加、削除が可能である。  例えば、実施の形態では、基板ボックス取付部３００にシールド板２００を仮止めしてから基板ボックス１００を基板ボックス取付部３００に配設する場合について説明したが、まず、基板ボックスにシールド板を仮止めし、シールド板が取り付けられた基板ボックスを基板ボックス取付部に取り付けてもよい。  例えば、図６に示すシールド板４００では、上面略四角形のシールド板４００の一辺側に、基板ボックス５００のケース５２０と係合する係合片４１０が設けられ、対向する辺側にケース５２０に設けられたフランジ５２１が挿入される挿入口４２０が設けられている。これにより、まず、シールド板４００が基板ボックス５００のケース５２０に仮止めする構成としてもよい。  また、図７に示すシールド板６００では、シールド板６００の一辺側に、基板ボックス７００のケース７２０の側面と係合する係合片６１０が設けられ、対向する辺側にケース７２０に設けられたフランジ７２１が挿入される挿入口６２０が設けられている。また、シールド板６００の、図７に示す上辺と下辺には、スライドガイド部材６４０、スライドガイド部材６４０に設けられケース７２０の上辺２箇所と下辺２箇所に設けられたフランジ７２２が挿入される挿入溝６３０が設けられている。これにより、まず、シールド板６００をスライドさせながら、シールド板６００が基板ボックス７００のケース７２０に仮止めされる構成としてもよい。  
【００２０】
また、本実施の形態では、基板ボックス取付部３００にＶ字係合部係合口３５０が設けられ、基板ボックス１００のケース１２０にＶ字係合部１２５が設けられ、基板ボックス１００を基板ボックス取付部３００に取り付ける際に用いる場合について説明したが、基板ボックスを取り付ける構成としては、種々の構成を採用し得る。例えば、図８に示すように、基板ボックス取付部８００に回転式係止部材８５０が設けられ、これに対応する位置の基板ボックス９００のケース９２０にフランジ９２１が設けられていてもよい。回転式係止部材８５０にはレバーが設けられ、回転式係止部材８５０にフランジ９２１を挿入して当該レバーを回転することにより回転式係止部材８５０の係止片がフランジ９２１を係止し、ケース９２０（基板ボックス９００）が基板ボックス取付部８００に取り付けられる。  
【００２１】
また、基板ボックス２００のケース１２０に形成された凹部１２２に、凸状部２０１やネジ１６０の突出部が設けられる場合について説明したが、基板ボックス取付部３００側に凹部が設けられ、凸状部２０１やネジ１６０の突出部がこの位置に配置されるように構成してもよい。  また、本実施の形態では、凸状部２０１とネジ１６０の突出部が当接（接触）してシールド板２００が基板１１０の接地回路に接続する場合について、すなわち、両方が凸状である場合について説明した。しかしながら、シールド板２００の一部と基板１１０の接地回路が当接（接触）可能な構成であれば、一方が凸状で、他方が平面もしくは凹状であってもよい。また、両方が平面であってもよい。  また、本実施の形態では、各コーナー部（４隅）に当接部を形成したシールド板２００を用いた場合について説明した。この場合、基板ボックスの各コーナー（４隅）のどの位置に接続部材が設けられていても同じシールド板を用いることができる。勿論、シールド板としては、少なくとも１箇所が接続部材と当接可能であればよい。さらに、シールド板のコーナー部（隅部）は、比較的撓みやすい
（可撓性が高い）ため、接続部との当接を確実に行うことができる。勿論、シールド板２００の当接部はコーナー部の端部に限定されず、シールド板の他の端部や中央部側に設けてもよい。  
【００２２】
また、本発明は、以下のように構成することもできる。  例えば、「（態様１）  請求項１に記載の遊技機であって、  前記基板の接地回路に接続され、前記基板収容部材の外部に露出して配設されている接続部材を備え、  前記シールド部材が前記基板収容部材と前記基板収容部材取付部によって挟持されている状態において、前記接続部材と前記シールド部材が当接するように構成されている、遊技機。  「接続部材」は、典型的には、導電性部材で形成され、例えば、基板を基板収容部材に取り付けるネジ等が採用され得る。  接続部材が基板収容部材の外部に露出して配設されている構成としては、例えば、接続部材の少なくとも一部が、基板収容部材側からシールド部材側に突出状に設けられている態様を含む。  態様１に記載の遊技機によれば、シールド部材を容易に基板の接地回路と接続することができる。これにより、容易にノイズのシールド効果を上げることができる。  
【００２３】
「（態様２）  請求項１又は態様１に記載の遊技機であって、  前記基板収容部材と前記基板収容部材取付部の少なくとも一方には、前記シールド部材の配設位置を決定する位置決め部材が設けられている、遊技機。」として構成することができる。  「位置決め部材」とは、シールド部材の位置を決めることができればよく、これによって、シールド部材が固定されなくてもよい。例えば、一方側に設けられたボスと、他方側に設けられたボスが嵌合する孔を示す。  態様２に記載の遊技機によれば、シールド部材を位置決めするのが容易である。  
【００２４】
「（態様３）  請求項１、態様１、態様２のいずれかに記載の遊技機であって、  前記接続部材あるいは前記シールド部材の少なくとも一方は可撓性を有している、遊技機。」として構成することができる。  態様３に記載の遊技機によれば、接続部材の長さを、シールド部材までの距離よりも長く設定することができ、接続部材を確実にシールド部材に当接することができる。  
【００２５】
「（態様４）  請求項１、態様１、態様２のいずれかに記載の遊技機であって、  前記接続部材あるいは前記シールド部材の前記接続部材との当接部の少なくとも一方は可撓性を有している、遊技機。」として構成することができる。  「当接部」とは、接続部材が当接される位置に存在するシールド部材を広く包含し、平面である場合も含まれる。  態様４に記載の遊技機によれば、接続部材の長さを、シールド部材の、接続部材との当接部までの距離よりも長く設定することができ、接続部材を確実にシールド部材の当接部に当接することができるとともに、当接することにより双方に傷が発生することを防止することができる。  
【００２６】
「（態様５）態様４に記載の遊技機であって、  前記接続部材あるいは前記シールド部材の前記接続部材との当接部の少なくとも一方は凸状に形成されている、遊技機。」として構成することができる。  「凸状に形成されている」とは、例えば、前記シールド部材の前記接続部材との当接部が凸状に形成されている場合には、前記シールド部材にプレス成形や切り起こし等により凸状部が形成されている。  態様５に記載の遊技機によれば、接続部材を確実にシールド部材の当接部に当接することができる。  
【００２７】
「（態様６）態様４又は５に記載の遊技機であって、  前記シールド部材の前記接続部材との当接部は、前記シールド部材の端部に設けられている遊技機。」として構成することができる。  ここで、「端部」とは、シールド部材の外縁部付近を示す。  態様６に記載の遊技機によれば、端部では、シールド部材が撓み易いので、接続部材を確実にシールド部材の当接部に当接させることができる。  
【００２８】
「（態様７）態様６に記載の遊技機であって、  前記シールド部材の前記接続部材との当接部は、前記シールド部材のコーナー部の端部に設けられている、遊技機。」として構成することができる。  ここで、「コーナー部」とは、シールド部材の外縁により内角が１８０°未満の角部が形成されている場合の当該角部付近を示す。  態様７に記載の遊技機によれば、コーナー部の端部では、シールド部材が撓み易いので、接続部材を確実にシールド部材の当接部に当接することができる。  
【００２９】
「（態様８）態様１〜７のいずれかに記載の遊技機であって、  前記基板収容部材あるいは前記基板収容部材取付部の少なくとも一方には凹部が設けられており、前記接続部材と前記シールド部材は前記凹部で当接している、遊技機。」として構成することができる。  「凹部」は、接続部材が設けられている箇所に形成されていればよく、シールド部材の当接部が基板側に凸状に構成されている場合には、当該当接部よりも大きい凹部が形成されているのが好ましい。  態様８に記載の遊技機によれば、接続部材がシールド部材に当接することでシールド部材が基板収容部材取付部側に突出することがなく、基板収容部材を基板収容部材取付部に容易に取り付けることができる。
【図面の簡単な説明】
【００３０】
【図１】パチンコ機１の裏側(遊技者側を表側とする。)の全体構成を斜視図で示す。
【図２】パチンコ機１の裏側の基板ボックス取付部３００にシールド板２００、基板ボックス１００を取り付ける方法を説明する図である。
【図３】基板ボックス１００のケース１２０に配設した基板１１０の表側の概観を示す。
【図４】図３に示した基板ボックス１００とシールド板２００の断面図を示す。
【図５】図３に示した基板ボックス１００のケース１２０の裏側の概観を示す図である。
【図６】基板ボックス１００にシールド板を取り付ける例を説明する図である。
【図７】基板ボックス１００にシールド板を取り付ける例を説明する図である。
【図８】基板ボックス１００を基板ボックス取付部材３００に取り付ける他の構成を説明する図である。
【符号の説明】
【００３１】
１        パチンコ機  １００    基板ボックス  １１０    基板  １１１    ネジ取り付け穴  １２０    ケース  １２１ａ  ネジ穴  １２２    凹部  １３０    カバー  ２００    シールド板  ２０１    凸状部  ３００    基板ボックス取付部
【図１】
2005312916.tif 000003
【図２】
2005312916.tif 000004
【図３】
2005312916.tif 000005
【図４】
2005312916.tif 000006
【図５】
2005312916.tif 000007
【図６】
2005312916.tif 000008
【図７】
2005312916.tif 000009
【図８】
2005312916.tif 000010